(57)【特許請求の範囲】
【請求項１】
断線が確認されている導電線（１２）の断線箇所を検出するための断線箇所検出装置であって、前記導電線（１２）の一端に基準交流電圧を印加する基準電源（２４）と、前記導電線（１２）の他端に基準交流電圧とは位相が１８０度ずれた反転交流電圧を印加する反転電源（２５）と、交流電圧の印加に伴って前記導電線（１２）の周囲に生じる電束による静電誘導で交流信号を出力することが可能であるとともに前記導電線（１２）に沿って作業者が動かし得る単一のセンサ（２２）と、該センサ（２２）からの交流信号を波形整形して方形波を得る第１波形整形手段（２７）と、前記基準電源（２４）から前記基準交流電圧を供給され、これを前記センサ（２２）からの交流信号の位相と比較するために前記センサ（２２）の出力信号レベルに対応するレベルまで低下させる電圧低下手段（２８）と、該電圧低下手段（２８）からの交流信号を波形整形して方形波を得る第２波形整形手段（２９）と、第１および第２波形整形手段（２７，２９）の出力位相を比較するとともに出力位相が一致している状態で第１の信号を出力するとともに前記出力位相がずれている状態で第１の信号とは異なる第２の信号を出力する位相比較手段（３０）と、該位相比較手段（３０）から第１の信号が出力されるときと第２の信号が出力されるときとで報知モードを区別して報知する報知手段（３１）とを備えることを特徴とする断線箇所検出装置。
【請求項２】
前記センサ（２２）からの交流信号を濾波して基準電源（２４）および反転電源（２５）の交流電圧とは無関係な周波数成分を除去するバンドパスフィルタ（２６）を含むことを特徴とする請求項１記載の断線箇所検出装置。
【請求項３】
前記報知手段（３１）は、前記位相比較手段（３０）の出力信号に基づいて発振周波数を変化させる発振回路（３６）と、該発振回路（３６）の発振周波数変化に応じて音程を変化させるスピーカ（４０）とを備えることを特徴とする請求項１または２記載の断線箇所検出装置。
【請求項４】
前記報知手段（３１）は、前記センサ（２２）の出力信号レベルの平均値を検出する平均値検出回路（３７）と、前記発振回路（３６）から入力される電圧を平均値検出回路（３７）の出力に応じて変化させて前記スピーカ（４０）に与える電圧調整回路（３８）とを備えることを特徴とする請求項３記載の断線箇所検出装置。
【請求項５】
前記位相比較手段（３０）は、第１および第２波形整形手段（２７，２９）から振幅一定の方形波として出力される電圧のロジックレベルが同一であるときと異なるときとで異なるロジックレベルの信号を出力する比較回路（３４）と、該比較回路（３４）の出力を平滑化して報知手段（３１）に与える平滑化回路（３５）とを備えることを特徴とする請求項１ないし４のいずれかに記載の断線箇所検出装置。
【発明の詳細な説明】
【０００１】
【発明の属する技術分野】
本発明は、断線が確認されている導電線の断線箇所を検出するための断線箇所検出装置に関し、特に、車両用のワイヤーハーネスの断線箇所検出に有効な断線箇所検出装置に関する。
【０００２】
【従来の技術】
従来、導電線の断線箇所を検出するための断線箇所検出装置が、たとえば実公平４−２２３１１号公報等により既に知られている。
【０００３】
【発明が解決しようとする課題】
ところが、上記実公平４−２２３１１号公報で開示されたものは、断線箇所を検出すべき導電線と、検出用電線とを予め密着せしめて絶縁材で被覆しておき、導電線が断線したときに前記導電線および検出用電線の一端間に交流電圧を印加し、静電容量が断線箇所までの交流電源からの距離に応じて変化することに基づいて断線箇所を検出するようにしたものであり、導電線毎に検出用電線を沿わせて配線することが必要であり、車両用のワイヤーハーネスのように複数の導電線を束ねたものでは、ハーネスが太くなって重量も増加し、実用性に乏しい。また検出用電線を予め沿わせていない導電線については断線箇所の検出が不可能である。
【０００４】
本発明は、かかる事情に鑑みてなされたものであり、検出用電線を不要とし、断線が確認されている導電線の断線箇所を該導電線への非接触状態で容易にかつ確実に検出可能とした断線箇所検出装置を提供することを目的とする。
【０００５】
【課題を解決するための手段】
上記目的を達成するために、請求項１記載の発明は、断線が確認されている導電線の断線箇所を検出するための断線箇所検出装置であって、前記導電線の一端に基準交流電圧を印加する基準電源と、前記導電線の他端に基準交流電圧とは位相が１８０度ずれた反転交流電圧を印加する反転電源と、交流電圧の印加に伴って前記導電線の周囲に生じる電束による静電誘導で交流信号を出力することが可能であるとともに前記導電線に沿って作業者が動かし得る単一のセンサと、該センサからの交流信号を波形整形して方形波を得る第１波形整形手段と、前記基準電源から前記基準交流電圧を供給され、これを前記センサからの交流信号の位相と比較するために前記センサの出力信号レベルに対応するレベルまで低下させる電圧低下手段と、該電圧低下手段からの交流信号を波形整形して方形波を得る第２波形整形手段と、第１および第２波形整形手段の出力位相を比較するとともに出力位相が一致している状態で第１の信号を出力するとともに前記出力位相がずれている状態で第１の信号とは異なる第２の信号を出力する位相比較手段と、該位相比較手段から第１の信号が出力されるときと第２の信号が出力されるときとで報知モードを区別して報知する報知手段とを備えることを特徴とする。
【０００６】
かかる構成によれば、断線が確認されている導電線の一端に基準電源を接続し、該導電線の他端に反転電源を接続した状態で単一のセンサを導電線に沿って非接触状態で動かすと、導電線において基準電源が接続されている一端と断線箇所との間では、センサから出力される交流信号を第１波形整形手段で波形整形して得られる方形波の位相と、基準電源の電圧を電圧低下手段で低下せしめて第２波形整形手段で波形整形することにより得られる方形波の位相とはほぼ一致しており、位相比較手段からは第１の信号が出力される。また前記導電線において反転電源が接続されている他端と断線箇所との間では、センサから出力される交流信号を第１波形整形手段で波形整形して得られる方形波の位相と、基準電源の電圧を電圧低下手段で低下せしめて第２波形整形手段で波形整形することにより得られる方形波の位相とはほぼ１８０度ずれており、位相比較手段からは第２の信号が出力される。したがってセンサが断線箇所を通過するときに、第１の信号から第２の信号もしくは第２の信号から第１の信号へと位相比較手段の出力信号が変化することになり、それにより報知手段の報知モードが変化するので断線箇所を容易にかつ確実に検出することが可能である。
【０００７】
また請求項２記載の発明に従う断線箇所検出装置は、上記請求項１記載の発明の構成に加えて、前記センサからの交流信号を濾波して基準電源および反転電源の交流電圧とは無関係な周波数成分を除去するバンドパスフィルタを含むことにより、導電線に印加される交流電圧によって導電線の周囲に生じる電束による静電誘導でセンサに生じる交流信号だけを第１波形整形手段に入力し、ノイズ等を除去するようにして、断線箇所をより正確に検出することができる。
【０００８】
請求項３記載の発明によれば、上記請求項１または２記載の発明の構成に加えて、前記報知手段は、前記位相比較手段の出力信号に基づいて発振周波数を変化させる発振回路と、該発振回路の発振周波数変化に応じて音程を変化させるスピーカとを備えることにより、短絡箇所を検出するためにセンサを導電線に沿って動かしているときに、スピーカから出力される音の音程を変化させて断線箇所を報知することができるので、作業員はセンサを動かすことだけに専念することができ、断線箇所検出作業が容易となる。
【０００９】
請求項４記載の発明によれば、上記請求項３記載の発明の構成に加えて、前記報知手段は、前記センサの出力信号レベルの平均値を検出する平均値検出回路と、前記発振回路から入力される電圧を平均値検出回路の出力に応じて変化させて前記スピーカに与える電圧調整回路とを備えることにより、センサの出力信号レベルすなわち断線箇所を検出すべき導電線からセンサまでの距離に応じてスピーカから出力される音の音量を変化させ、断線箇所を検出すべき導電線が隠れていても該導電線に比較的近い位置でセンサを動かすようにして断線箇所の検出をより容易とすることができる。
【００１０】
さらに請求項５記載の発明は、上記請求項１ないし４のいずれかに記載の発明の構成に加えて、前記位相比較手段は、第１および第２波形整形手段から振幅一定の方形波として出力される電圧のロジックレベルが同一であるときと異なるときとで異なるロジックレベルの信号を出力する比較回路と、該比較回路の出力を平滑化して報知手段に与える平滑化回路とを備えることを特徴とする。
【００１１】
ところで、センサから第１波形整形手段までの信号処理過程と、基準電源から第２波形整形手段までの信号処理過程とが異なること等に起因して、両波形整形手段からの出力の位相を比較する際にわずかな位相のずれが生じることがあるが、上記第５の特徴に従って比較回路の出力を平滑化することにより、位相のずれによる位相比較手段からの出力信号のばたつきをなくして、報知手段の報知作動を安定化することができる。
【００１２】
【発明の実施の形態】
以下、本発明の実施の形態を、添付図面に示した本発明の一実施例に基づいて説明する。
【００１３】
図１ないし図８は本発明の一実施例を示すものであり、図１は断線箇所検出時の接続状態を説明するための図、図２はケースの側面図、図３はワイヤーハーネスの近傍にケースを配置したときの状態を図２の３矢視方向から見て示す図、図４は断線箇所検出装置の構成を示すブロック図、図５は電源ユニットの接続状態を示す図、図６は波形整形手段による波形整形を説明するための図、図７は位相がほぼ一致しているときの位相比較手段での信号処理を説明するためのタイミングチャート、図８は位相がほぼ１８０度ずれているときの位相比較手段での信号処理を説明するためのタイミングチャートである。
【００１４】
先ず図１において、車両Ｖの車室内で、車体１０の床面に沿って敷設されるワイヤーハーネス１１に含まれる導電線１２が断線していることが確認されているときに、器体１３に接続されている基準電源用接続線１４および反転電源用接続線１５を前記導電線１２の両端に接続するとともに器体１３に接続されている接地接続線１６を車体１０に接続した状態で、器体１３に接続線１７を介して接続されているケース１８を前記ワイヤーハーネス１１すなわち導電線１２に沿って動かすことにより、導電線１２の断線箇所を検出することができる。
【００１５】
前記基準電源用接続線１４、反転電源用接続線１５、接地接続線１６および接続線１７を接続可能な器体１３の前面には、オン・オフ用のメインスイッチ６、後述のスピーカ４０（図４参照）からの音量を調節するための調節つまみ７およびイヤホーン差込み用コンセント８が設けられる。また器体１３の背面からは、プラグ９ａが先端に設けられた電源線９が延設されており、断線箇所検出時には該電源線９が、たとえばＡＣ１００Ｖの電源に接続される。
【００１６】
図２および図３において、ケース１８は、作業員が手で握ることを可能として円筒状に形成される円筒部１８ａの先端に扁平な収納部１８ｂが連設されて成るものであり、たとえば合成樹脂により形成される。このケース１８内の先端寄りの部分には単一のセンサ２２が内蔵されており、該センサ２２は、プリント基板１９と、該プリント基板１９の一端側にプリントパターンの一部として設けられる銅板等の単極板２０と、プリント基板１９の他端側に設けられるヘッドアンプ２１とを備えるものであり、前記単極板２０が収納部１８ｂの先端部内に配置されるようにしてセンサ２２がケース１８に内蔵され、ヘッドアンプ２１に連なるようにして接続線１７がケース１８の後端から導出される。而してヘッドアンプ２１としては、単極板２０で得られる微弱な誘導電圧を増幅して接続線１７に伝搬すべく高入力インピーダンスのものが用いられる。
【００１７】
ところで、断線している導電線１２に交流電圧を印加すると、図３の破線で示すように、導電線１２の周囲には電束が生じるものであり、そのように電束が生じている雰囲気にセンサ２２の単極板２０が配置されると、単極板２０には静電誘導により交流電圧に同期して位相を変化させる誘導電圧が生じるものであり、その誘導電圧がヘッドアンプ２１で増幅され、接続線１７から出力される。
【００１８】
図４において、器体１３内には、電源ユニット２３と、バンドパスフィルタ２６と、第１波形整形手段２７と、電圧降下手段２８と、第２波形整形手段２９と、位相比較手段３０と、報知手段３１とが収納される。
【００１９】
電源ユニット２３は、図５で示すように、基準となる基準交流電圧を出力する基準電源２４と、前記基準交流電圧とは同位相の反転交流電圧を出力する反転電源２５とが直列に接続されて成るものであり、断線した状態にある導電線１２の一端に接続される基準電源用接続線１４が端子４２を介して基準電源２４に接続され、前記導電線１２の他端に接続される反転電源用接続線１５が端子４３を介して反転電源２５に接続され、両電源２４，２５の中点に連なる端子４４が接地接続線１６を介して車体１０に接続される。このような電源ユニット２３によれば、前記両電源２４，２５の中点に連なって接地される端子４４を基準としてみたときに、端子４２，４３に生じる電圧が逆位相となる。
【００２０】
このような電源ユニット２３の基準電源２４および反転電源２５からは、たとえば１０ｋＨｚで発振する正弦波を図示しないトランスで昇圧して比較的高圧の交流電圧が出力されるものであり、短絡時の不具合や感電の危険を回避するために両電源２４，２５および端子４２，４３間には図示しない高抵抗が設けられている。
【００２１】
ところで、導電線１２がその途中の断線箇所Ｐで断線しているときに、導電線１２の一端と断線箇所Ｐとの間には基準電源２４からの基準交流電圧が印加され、また導電線１２の他端と断線箇所Ｐとの間には反転電源２５からの反転交流電圧が印加されることになり、したがって導電線１２の一端と断線箇所Ｐとの間で導電線１２の周囲に生じる電束の向きと、導電線１２の他端と断線箇所Ｐとの間で導電線１２の周囲に生じる電束の向きとは、１８０度位相をずらして変化することになり、センサ２２が導電線１２の一端と断線箇所Ｐとの間で導電線１２の周囲に在るときにはセンサ２２で得られる交流信号の位相は基準電源２４とほぼ一致した位相となり、またセンサ２２が導電線１２の他端と断線箇所Ｐとの間で導電線１２の周囲に在るときにはセンサ２２で得られる交流信号の位相は反転電源２５の位相とほぼ一致した位相すなわち基準電源２４の位相とはほぼ１８０度ずれた位相となる。
【００２２】
再び図４において、バンドパスフィルタ２６は、センサ２２からの交流信号をたとえば１０ｋＨｚの周波数帯域で濾波して基準電源２４および反転電源２５の交流電圧とは無関係な周波数成分を除去するものであり、このようなバントパスフィルタ２６でセンサ２２の出力を濾波することにより、導電線１２に印加される交流電圧によって導電線１２の周囲に生じる電束による静電誘導でセンサ２２に生じる交流信号だけを得るようにして、センサ２２に入力されるノイズ等を除去することができる。
【００２３】
第１波形整形手段２７は、コンパレータであり、バンドパスフィルタ２６でノイズ等を除去された状態にあるセンサ２２の出力信号を方形波に整形する。すなわちセンサ２２からバンドパスフィルタ２６を介して入力される信号が図６（ａ）で示すような正弦波であるときに、第１波形整形手段２７からは図６（ｂ）で示すような方形波が出力されることになる。
【００２４】
電圧降下手段２８は、基準電源２４の出力電圧を分圧する分圧回路３２と、バッファ３３とで構成されるものであり、基準電源２４の出力は高過ぎるので、基準電源２４の出力電圧を前記センサ２２の出力信号レベルに対応するレベルまで低下させる働きをする。
【００２５】
この電圧降下手段２８の出力は、コンパレータである第２波形整形手段２９に入力され、第２波形整形手段２９は、上述の図６で示した第１波形整形手段２７による波形整形と同様に、方形波を出力する。
【００２６】
位相比較手段３０は、第１および第２波形整形手段２７，２９の出力を比較する比較回路３４と、該比較回路３４の出力を平滑化する平滑化回路３５とで構成される。
【００２７】
比較回路３４は、第１および第２波形整形手段２７，２９から振幅一定の方形波として出力される電圧のロジックレベルが同一であるときと異なるときとで異なるロジックレベルの信号を出力するものであり、たとえばロジックＩＣによるＥＸＯＲゲートである。このような比較回路３４によれば、第１波形整形手段２７の出力が図７（ａ）で示すものであるときに、第２波形整形手段２９の出力が図７（ｂ）で示すようにほぼ一致した位相を有するものであったときには、図７（ｃ）で示すように両波形整形手段２７，２９から入力される電圧のロジックレベルが同一である区間でローレベルとなるが前記ロジックレベルが異なるときにはハイレベルとなるような信号が比較回路３４から出力され、また第１波形整形手段２７の出力が図８（ａ）で示すものであるときに、第２波形整形手段２９の出力が図８（ｂ）で示すようにほぼ１８０度ずれた位相を有するものであったときには、図８（ｃ）で示すように両波形整形手段２７，２９から入力される電圧のロジックレベルが同一である区間でローレベルとなるが前記ロジックレベルが異なるときにはハイレベルとなるような信号が比較回路３４から出力される。
【００２８】
ところで、センサ２２が導電線１２の周囲に生じた電束を拾って交流信号を出力するものであることから、センサ２２の出力電圧に基づいて第１波形整形手段２７で波形整形して得られた方形波と、基準電源２４の出力電圧に基づいて第２方形波整形手段２９で波形整形した得られた方形波とは、位相が全く同一であるか、位相が１８０度ずれているはずであるが、センサ２２から第１波形整形手段２７までの信号処理過程と、基準電源２４から第２波形整形手段２９までの信号処理過程とが異なること等に起因して、両波形整形手段２７，２９からの出力の位相が図７（ａ），（ｂ）および図８（ａ），（ｂ）で示すようにわずかにずれるものであり、このようなずれを生じたままでは図７（ｃ）および図８（ｃ）で示すように安定した信号が得られない。平滑化回路３５は、そのような位相のわずかなずれに起因して比較回路３４の出力が不安定となっているのを安定化させるためのものであって、たとえばローパスフィルタであり、この平滑化回路３５を通すことにより、両波形整形手段２７，２９の位相がほぼ一致しているときには図７（ｄ）で示すようにローレベルの安定した信号が、また両波形整形手段２７，２９の位相がほぼ１８０度ずれているときには図８（ｄ）で示すようにハイレベルの安定した信号がそれぞれ得られることになり、平滑化回路３５で得られる安定した信号が報知手段３１に与えられる。
【００２９】
報知手段３１は、発振回路３６と、平均値検出回路３７と、電圧調整回路３８と、増幅器３９と、スピーカ４０とを備える。
【００３０】
発振回路３６は、制御端子付きの無安定マルチバイブレータであり、位相比較手段３０の平滑化回路３５から制御端子に入力される信号レベルに応じて可聴域内で発振周波を変化させるようにして発振信号を出力するものである。
【００３１】
平均値検出回路３７は、センサ２２の出力信号レベルの平均値を検出するものである。また電圧調整回路３８は制御端子付きのアンプであり、制御端子に入力される平均値検出回路３７からの信号に応じて前記発振回路３６から入力される電圧を変化させて出力する。
【００３２】
増幅器３９は、電圧調整回路３８の出力電圧を増幅してスピーカ４０に与える働きをする。
【００３３】
このような報知手段３１によれば、発振回路３６の発振周波数の変化に応じて音程を変化させるだけでなく、電圧調整回路３７での調整電圧の変化に応じて音量を変化させる音が報知されることになる。
【００３４】
次にこの実施例の作用について説明すると、断線が確認されている導電線１２の一端に基準電源２４を接続し、該導電線１２の他端に反転電源２５を接続した状態でケース１８を導電線１２に沿って非接触状態で動かすと、導電線１２において基準電源が接続されている一端と断線箇所Ｐとの間では、ケース１８に内蔵されているセンサ２２から出力される交流信号を第１波形整形手段２７で波形整形して得られる方形波の位相と、基準電源２５の電圧を電圧低下手段２８で低下せしめて第２波形整形手段２９で波形整形することにより得られる方形波の位相とは、図７（ａ），（ｂ）で示すようにほぼ一致しており、位相比較手段３０からは、図７（ｄ）で示すように第１の信号としてのローレベルの信号が出力される。また前記導電線１２において反転電源２５が接続されている他端と断線箇所Ｐとの間では、センサ２２から出力される交流信号を第１波形整形手段２７で波形整形して得られる方形波の位相と、基準電源２４の電圧を電圧低下手段２８で低下せしめて第２波形整形手段２９で波形整形することにより得られる方形波の位相とは、図８（ａ），（ｂ）で示すように、ほぼ１８０度ずれており、位相比較手段３０からは、図８（ｄ）で示すように第２の信号としてのハイレベルの信号が出力される。したがってケース１８が断線箇所Ｐを通過するときに、ローレベルからハイレベルもしくはハイレベルからローレベルへと位相比較手段３０の出力信号が変化することになる。したがってケース１８が断線箇所Ｐを通過する際に、報知手段３１の報知モードが変化するので断線箇所Ｐを容易にかつ確実に検出することが可能である。
【００３５】
またセンサ２２からの交流信号はパンドパスフィルタ２６で濾波して第１波形整形手段２７に入力されるものであり、導電線１２に印加される交流電圧によって導電線１２の周囲に生じる電束による静電誘導でセンサ２２に生じる交流信号だけを第１波形整形手段２７に入力してノイズ等を除去するので、断線箇所Ｐをより正確に検出することができる。
【００３６】
さらに報知手段３１は、位相比較手段３０の出力信号に基づいて発振周波数を変化させる発振回路３６と、発振回路３６の発振周波数変化に応じて音程を変化させるスピーカ４０とを備えるものであり、短絡箇所Ｐを検出するためにケース１８を導電線１２に沿って動かしているときに、スピーカ４０から出力される音の音程を変化させて断線箇所Ｐを報知することができるので、作業員はケース１８を導電線１２に沿って動かすことだけに専念することができ、断線箇所Ｐの検出作業が容易となる。
【００３７】
しかも報知手段３１は、センサ２２の出力信号レベルの平均値を検出する平均値検出回路３７と、発振回路３６から入力される電圧を平均値検出回路３７の出力に応じて変化させる電圧調整回路３８を備えるものであるので、センサ２２の出力信号レベルすなわち断線箇所Ｐを検出すべき導電線１２からセンサ２２までの距離に応じてスピーカ４０から出力される音の音量を変化させることができ、断線箇所Ｐを検出すべき導電線１２が、たとえば車室内のカーペット等で隠れていても該導電線１２に比較的近い位置でケース１８すなわちセンサ２２を動かすようにして断線箇所Ｐの検出をより容易とすることができる。
【００３８】
さらに位相比較手段３０は、第１および第２波形整形手段２７，２９から振幅一定の方形波として出力される電圧のロジックレベルが同一であるときと異なるときとで異なるロジックレベルの信号を出力する比較回路３４と、該比較回路３４の出力を平滑化して報知手段３１に与える平滑化回路３５とを備えるものであることから、センサ２２から第１波形整形手段２７までの信号処理過程と、基準電源２４から第２波形整形手段２９までの信号処理過程とが異なること等に起因して両波形整形手段２７，２９の出力の位相にわずかなずれが生じていても、位相比較手段３０からの出力信号を安定化させることができ、それにより報知手段３１の報知作動を安定化させることができる。
【００３９】
以上、本発明の実施例を詳述したが、本発明は上記実施例に限定されるものではなく、特許請求の範囲に記載された本発明を逸脱することなく種々の設計変更を行なうことが可能である。
【００４０】
たとえば位相比較手段における比較回路としてロジックＩＣによるＥＸＮＯＲゲートを用いるようにしてもよく、この場合、位相がほぼ一致しているときの位相比較手段の出力すなわち図７（ｄ）の信号はハイレベルとなり、位相がほぼ１８０度ずれているときの位相比較手段の出力すなわち図８（ｄ）の信号はローレベルとなる。また位相比較手段３０の出力変化に応じて、音色を変化させたり、連続音および断続音の切換えを行なう報知手段を用いるようにしてもよく、また音による報知に代えて、発光色を異ならせた視覚的な表示で報知を行なうようにすることも可能である。
【００４１】
【発明の効果】
以上のように請求項１記載の発明によれば、単一のセンサが断線箇所を通過するときに位相比較手段の出力信号を変化するようにして、報知手段の報知モードを変化させて断線箇所を容易にかつ確実に検出することができる。
【００４２】
また請求項２記載の発明によれば、センサに入力されるノイズ等を除去して、断線箇所をより正確に検出することができる。
【００４３】
請求項３記載の発明によれば、スピーカから出力される音の音程を変化させて断線箇所を報知せしめるようにして、作業員がセンサを動かすことだけに専念することを可能とし、断線箇所検出作業が容易となる。
【００４４】
請求項４記載の発明によれば、断線箇所を検出すべき導電線からセンサまでの距離に応じてスピーカから出力される音の音量を変化させ、断線箇所を検出すべき導電線が隠れていても該導電線に比較的近い位置でセンサを動かすようにして断線箇所の検出をより容易とすることができる。
【００４５】
さらに請求項５記載の発明によれば、位相比較手段の出力信号を安定化させ、報知手段の報知作動を安定化することができる。
【図面の簡単な説明】
【図１】  断線箇所検出時の接続状態を説明するための図である。
【図２】  ケースの側面図である。
【図３】  ワイヤーハーネスの近傍にケースを配置したときの状態を図２の３矢視方向から見て示す図である。
【図４】  断線箇所検出装置の構成を示すブロック図である。
【図５】  電源ユニットの接続状態を示す図である。
【図６】  波形整形手段による波形整形を説明するための図である。
【図７】  位相がほぼ一致しているときの位相比較手段での信号処理を説明するためのタイミングチャートである。
【図８】  位相がほぼ１８０度ずれているときの位相比較手段での信号処理を説明するためのタイミングチャートである。
【符号の説明】
１２・・・導電線
２２・・・センサ
２４・・・基準電源
２５・・・反転電源
２６・・・バンドパスフィルタ
２７・・・第１波形整形手段
２８・・・電圧低下手段
２９・・・第２波形整形手段
３０・・・位相比較手段
３１・・・報知手段
３４・・・比較回路
３５・・・平滑化回路
３６・・・発振回路
３７・・・平均値検出回路
３８・・・電圧調整回路
４０・・・スピーカ
【図１】
0004057676.tif 000002
【図２】
0004057676.tif 000003
【図３】
0004057676.tif 000004
【図４】
0004057676.tif 000005
【図５】
0004057676.tif 000006
【図６】
0004057676.tif 000007
【図７】
0004057676.tif 000008
【図８】
0004057676.tif 000009